(57)【要約】      （修正有）【課題】配線盤に接続される配線を接続又は切断する際に、誤接続及び誤切断を抑制可能な支援システムを提供すること。【解決手段】複数の拠点の間を中継する配線を接続可能な複数の端子部を有し、複数の拠点のそれぞれに配置される配線盤１０と、配線盤１０に接続される配線の接続関係を変更する変更予定を示す変更情報に基づいて変更作業を支援する支援端末２０と、管理サーバ３０とが通信回線Ｎを介して接続される支援システム１であって、配線盤１０は、端子部に対応して配置される配線盤側表示部と、配線盤側表示部の表示を制御する配線盤側表示制御部と、を備える。支援端末２０は、変更情報に基づいて、変更対象となる配線の接続位置に対応する端子部を示す配線盤側表示部を識別可能なように、配線盤側表示制御部に配線盤側表示部への表示を指示する表示指示部を備える。【選択図】図２
2020065194.tif 000002
【特許請求の範囲】
【請求項１】
複数の拠点の間を中継する配線を接続可能な複数の端子部を有し複数の拠点のそれぞれに配置される配線盤と、前記配線盤に接続される配線の接続関係を変更する変更予定を示す変更情報に基づいて変更作業を支援する支援端末と、を備える支援システムであって、
前記配線盤は、
前記端子部に対応して配置される配線盤側表示部と、
前記配線盤側表示部の表示を制御する配線盤側表示制御部と、
を備え、
前記支援端末は、変更情報に基づいて、変更対象となる配線の接続位置に対応する端子部を示す前記配線盤側表示部を識別可能なように、前記配線盤側表示制御部に前記配線盤側表示部への表示を指示する表示指示部を備える支援システム。
【請求項２】
前記配線盤側表示制御部は、前記端子部への配線の接続状況を示す接続情報に応じて、前記配線盤側表示部の表示を制御する請求項１に記載の支援システム。
【請求項３】
前記接続情報及び前記変更情報を管理する管理サーバをさらに備える請求項２に記載の支援システム。
【請求項４】
前記支援端末は、複数の変更情報から少なくとも１つを指定する変更情報指定部をさらに備え、
前記表示指示部は、前記変更情報指定部によって指定された変更情報に基づいて、前記配線盤側表示制御部に前記配線盤側表示部への表示を指示する請求項２又は３に記載の支援システム。
【請求項５】
前記配線盤は、
指定された変更情報に基づく配線の接続の変更完了を示す変更完了情報を取得する変更完了情報取得部と、
変更完了情報の取得に基づいて、前記指定された変更情報を用いて接続情報を更新する更新部と、
をさらに備える２〜４のいずれかに記載の支援システム。
【請求項６】
前記支援端末は、
指定された変更情報に基づく配線の接続の変更完了を示す変更完了情報を取得する変更完了情報取得部と、
変更完了情報の取得に基づいて、指定された変更情報を用いて接続情報を更新する更新部と、
をさらに備える２〜４のいずれかに記載の支援システム。
【請求項７】
前記支援端末は、
更新された接続情報を表示可能な端末側表示部と、
更新された接続情報と変更情報とに基づいて、表示部に、更新情報の接続状況と同じ内容を示す接続情報と異なる接続情報とを明示的に表示させる端末側表示制御部と、
をさらに備える請求項５又は６に記載の支援システム。
【請求項８】
前記配線盤は、通信用中間配線盤又は光配線盤である請求項１〜７のいずれか一項に記載の支援システム。
【発明の詳細な説明】
【技術分野】
【０００１】
本発明は、支援システムに関する。
【背景技術】
【０００２】
従来より、複数の拠点のそれぞれに配置された通信装置同士を通信ケーブル(ジャンパー線)や光コード等の配線（以下、配線という）を用いて接続することが行われている。例えば、通信装置同士の接続は、それぞれの拠点に配置される中間配線盤（ＩＤＦ、Intermediate Distribution Frame）や、光配線盤（光ＩＤＦ、以下、中間配線盤及び光配線盤をまとめて配線盤という）を介して、配線により接続されることにより行われる。
【０００３】
通信装置の撤去や変更等により、配線の新設、変更、又は廃止が行われる場合、配線盤の通信ケーブル（ジャンパー線）や光コード等の配線が新規に接続、変更、又は撤去される。配線の接続又は解除を実行するシステムとして、光コネクタプラグとアダプタとの組み合わせを示す入力データに基づいて、配線ルートを算出した上で接続及び解除を実行するシステムが提案されている（例えば、特許文献１参照）。
【先行技術文献】
【特許文献】
【０００４】
【特許文献１】特開２００５−３４６０１５号公報
【発明の概要】
【発明が解決しようとする課題】
【０００５】
ところで、配線盤における接続端子は、狭い場所に多数設置されている場合が多い。また、配線の接続や廃止が行われる場合、配線の接続や廃止は、作業効率の向上を目的として、他の回線作業と纏めて行われることがある。そのため、作業対象となる端子の誤認や、作業忘れによる配線の誤切断や誤接続が発生することが考えらえる。
【０００６】
特許文献１に記載のシステムでは、配線ルートが算出されることで、いずれの配線を接続又は解除すればよいかを得ることができる。一方、算出された配線ルートに対応する光コネクタがいずれであるのかを作業現場において確認することができない。そのため、作業者が配線作業をする際には、誤接続や誤切断の抑制までは期待できない。
【０００７】
本発明は、配線盤に接続される配線を接続又は切断する際に、誤接続及び誤切断を抑制可能な支援システムを提供することを目的とする。
【課題を解決するための手段】
【０００８】
本発明者は、複数の拠点の間を中継する配線を接続可能な複数の端子部を有し複数の拠点のそれぞれに配置される配線盤と、前記配線盤に接続される配線の接続関係を変更する変更予定を示す変更情報に基づいて変更作業を支援する支援端末と、を備える支援システムであって、前記配線盤は、前記端子部に対応して配置される配線盤側表示部と、前記配線盤側表示部の表示を制御する配線盤側表示制御部と、を備え、前記支援端末は、変更情報に基づいて、変更対象となる配線の接続位置に対応する端子部を示す前記配線盤側表示部を識別可能なように、前記配線盤側表示制御部に前記配線盤側表示部への表示を指示する表示指示部を備える支援システムに関する。
【０００９】
また、前記配線盤側表示制御部は、前記端子部への配線の接続状況を示す接続情報に応じて、前記配線盤側表示部の表示を制御するのが好ましい。
【００１０】
また、支援システムは、前記接続情報及び前記変更情報を管理する管理サーバをさらに備えるのが好ましい。
【００１１】
また、前記支援端末は、複数の変更情報から少なくとも１つを指定する変更情報指定部をさらに備え、前記表示指示部は、前記変更情報指定部によって指定された変更情報に基づいて、前記配線盤側表示制御部に前記配線盤側表示部への表示を指示するのが好ましい。
【００１２】
また、前記配線盤は、指定された変更情報に基づく配線の接続の変更完了を示す変更完了情報を取得する変更完了情報取得部と、変更完了情報の取得に基づいて、前記指定された変更情報を用いて接続情報を更新する更新部と、をさらに備えるのが好ましい。
【００１３】
また、前記支援端末は、指定された変更情報に基づく配線の接続の変更完了を示す変更完了情報を取得する変更完了情報取得部と、変更完了情報の取得に基づいて、指定された変更情報を用いて接続情報を更新する更新部と、をさらに備えるのが好ましい。
【００１４】
また、前記支援端末は、更新された接続情報を表示可能な端末側表示部と、更新された接続情報と変更情報とに基づいて、表示部に、更新情報の接続状況と同じ内容を示す接続情報と異なる接続情報とを明示的に表示させる端末側表示制御部と、をさらに備えるのが好ましい。
【００１５】
また、前記配線盤は、通信用中間配線盤又は光配線盤であるのが好ましい。
【発明の効果】
【００１６】
本発明によれば、配線盤に接続される配線を接続又は切断する際に、誤接続及び誤切断を抑制可能な支援システムを提供することができる。
【図面の簡単な説明】
【００１７】
【図１】本発明の一実施形態に係る支線システムによって支援する通信システムの全体構成を示す概略図である。
【図２】一実施形態に係る支援システムの全体構成を示す概略構成図である。
【図３】一実施形態に係る支援システムの配線盤の外観を示す概略構成図である。
【図４】一実施形態に係る支援システムの配線盤の外観の一部を示す概略平面図である。
【図５】一実施形態に係る支援システムの配線盤を示すブロック図である。
【図６】一実施形態に係る支援システムの支援端末の構成を示すブロック図である。
【図７】一実施形態に係る支援システムの変更情報を示す画面図である。
【図８】一実施形態に係る支援システムの管理サーバを示すブロック図である。
【図９】一実施形態に係る支援システムの処理の流れを示すフローチャートである。
【図１０】本発明の変形例に係る支援システムの配線盤を示す概略平面図である。
【発明を実施するための形態】
【００１８】
以下、本発明の各実施形態に係る支援システム１について、図１〜図１０を参照して説明する。
まず、各実施形態に係る支援システム１によって支援する通信システム１００の概要について説明する。
【００１９】
通信システム１００は、図１に示すように、複数の拠点Ａ〜Ｅのそれぞれに配置される通信装置ａ〜ｅと、複数の拠点Ａ〜Ｅの間を接続する配線１０１〜１０４と、を備える。それぞれの通信装置ａ〜ｅは、接続されている配線１０１〜１０４を介して他の通信装置ａ〜ｅと通信可能に構成される。
【００２０】
［第１実施形態］
次に、本発明の第１実施形態に係る支援システムについて説明する。
本実施形態に係る支援システム１は、通信システム１００において行われる配線の新規接続、変更、撤去作業を支援可能なシステムである。例えば、支援システム１は、通信システム１００における通信装置ａ〜ｅの新規追加、撤去、変更等により発生する配線１０１〜１０４の新規接続、変更、撤去作業を支援可能なシステムである。支援システム１は、図２に示すように、複数の配線盤１０と、支援端末２０と、管理サーバ３０と、を備える。本実施形態において、複数の配線盤１０、管理サーバ３０、及び支援端末２０は、無線ＬＡＮ（Local Area Network）、有線ＬＡＮ、インターネット回線等の通信回線Ｎを介して通信可能に接続される。
【００２１】
複数の配線盤１０のそれぞれは、複数の拠点Ａ〜Ｅに配置される。複数の配線盤１０のそれぞれは、配線１０１〜１０４（通信ケーブル、ジャンパー線、光コード等を含む）に接続又は切断されることで、複数の拠点Ａ〜Ｅのそれぞれに配置されている通信装置ａ〜ｅとの間を接続又は切断可能に構成される。複数の配線盤１０のそれぞれは、図３〜図５に示すように、複数の端子部１１と、配線盤側表示部１２と、配線盤側表示制御部１３と、を備える。
【００２２】
複数の端子部１１のそれぞれは、複数の拠点Ａ〜Ｅの間を中継する配線１０１〜１０４に接続可能な接続端子である。本実施形態において、複数の端子部１１のそれぞれは、図３に示すように、所定数が纏められて端子ブロック１０ａとして配線盤１０の盤面に配置される。例えば、本実施形態において、複数の端子部１１は、図４に示すように、端子ブロック１０ａにおいて、行方向にチャネル順に２０チャネル配置される。また、本実施形態において、複数の端子部１１は、端子ブロック１０ａにおいて、列方向に１つのチャネルの複数の端子部１１（Ａ〜Ｋ）を纏めて配置される。
【００２３】
配線盤側表示部１２は、例えば、ＬＥＤランプである。配線盤側表示部１２は、端子部１１に対応して配置される。例えば、本実施形態において、配線盤側表示部１２は、図４に示すように、チャネルごとに配置される。より具体的には、配線盤側表示部１２は、配線盤１０の盤面に沿ってチャネルの上側（図４の紙面に沿って上側）に１つ配置される。配線盤側表示部１２は、対応する端子部１１（対応するチャネル）の使用状況を表示可能に構成される。例えば、配線盤側表示部１２は、対応する端子部１１の使用状況を色違いで表示可能に構成される。具体的には、配線盤側表示部１２は、対応する端子部１１の使用状況を赤色及び緑色で表示可能に構成される。
【００２４】
配線盤側表示制御部１３は、ＣＰＵ（Central Processing Unit）の動作により実現される。配線盤側表示制御部１３は、端子部１１への配線１０１〜１０４の接続状況を示す接続情報を取得可能に構成される。配線盤側表示制御部１３は、配線盤側表示部１２の表示を制御する。例えば、配線盤側表示制御部１３は、取得した接続情報に基づいて配線盤側表示部１２の表示を制御する。具体的には、配線盤側表示制御部１３は、端子部１１の接続状況に応じて配線盤側表示部１２の表示を制御する。本実施形態において、使用中の端子部１１に対応する配線盤側表示部１２が制御される場合、配線盤側表示制御部１３は、配線盤側表示部１２に赤色を点灯する。また、本実施形態において、未使用の端子部１１に対応する配線盤側表示部１２が制御される場合、配線盤側表示制御部１３は、配線盤側表示部１２に緑色を点灯する。
【００２５】
支援端末２０は、例えば、タブレット等のモバイル端末や、パーソナルコンピュータ等である。支援端末２０は、配線盤１０に接続される配線の接続関係を変更する変更予定を示す変更情報に基づいて、変更作業を支援する端末である。また、支援端末２０は、接続情報を取得して表示可能な端末である。支援端末２０は、端末側表示部２１と、端末側表示制御部２２と、変更情報指定部２３と、表示指示部２４と、変更完了情報取得部２５と、更新部２６と、を備える。
【００２６】
端末側表示部２１は、例えば、液晶やディスプレイ等である。端末側表示部２１は、図７に示すような変更情報を表示可能に構成される。また、端末側表示部２１は、接続情報を表示可能に構成される。
【００２７】
端末側表示制御部２２は、ＣＰＵ（Central Processing Unit）の動作により実現される。端末側表示制御部２２は、変更情報又は接続情報を取得可能に構成される。また、端末側表示制御部２２は、取得した変更情報又は接続情報を配線盤側表示部１２に表示させる。
【００２８】
変更情報指定部２３は、ＣＰＵ（Central Processing Unit）の動作により実現される。変更情報指定部２３は、複数の変更情報から少なくとも１つを指定する。例えば、変更情報指定部２３は、端末側表示部２１に表示される変更情報に基づいて配線盤側表示部１２に表示する変更情報のうち、作業が行われる変更情報の指定入力に基づいて指定可能に構成される。具体的には、変更情報指定部２３は、端末側表示部２１に表示される変更情報のうち、直後に接続又は切断作業をする変更情報について、入力手段（図示せず）からの指定入力に基づいて指定可能に構成される。
【００２９】
表示指示部２４は、ＣＰＵ（Central Processing Unit）の動作により実現される。表示指示部２４は、変更情報に基づいて、変更対象となる配線の接続位置に対応する端子部１１を示す配線盤側表示部１２を識別可能なように、配線盤側表示制御部１３に配線盤側表示部１２への表示を指示する。例えば、表示指示部２４は、変更情報指定部２３によって指定された変更情報に基づいて、変更対象となる配線１０１〜１０４の接続位置に対応する端子部１１を示す配線盤側表示部１２を識別可能なように、配線盤側表示制御部１３に配線盤側表示部１２への表示を指示する。
【００３０】
変更完了情報取得部２５は、ＣＰＵ（Central Processing Unit）の動作により実現される。変更完了情報取得部２５は、キーボードやマウス等を用いて入力された、配線１０１〜１０４の変更完了を示す変更完了情報を取得する。具体的には、変更完了情報取得部２５は、指定された変更情報に基づく配線１０１〜１０４の接続の変更完了を示す変更完了情報を取得する。
【００３１】
更新部２６は、ＣＰＵ（Central Processing Unit）の動作により実現される。更新部２６は、変更完了情報の取得に基づいて、指定された変更情報を用いて接続情報を更新する。具体的には、更新部２６は、変更情報によって示される配線１０１〜１０４の接続状況を用いて接続情報を更新する。これにより、更新部２６は、接続情報に含まれる配線１０１〜１０４の接続状況について、変更情報に含まれる配線の接続状況に更新する。すなわち、更新部２６は、接続情報に含まれる配線１０１〜１０４の接続状況について、変更後の配線１０１〜１０４の接続状況に更新する。また、更新部２６は、更新された接続情報を後述する管理サーバ３０に出力する。
【００３２】
管理サーバ３０は、例えば、通信装置ａ〜ｅが配置される拠点Ａ〜Ｅとは別の管理拠点に配置される。管理サーバ３０は、接続情報及び変更情報を管理する。管理サーバ３０は、図８に示すように、接続情報格納部３１と、変更情報格納部３２と、接続情報管理部３３と、変更情報管理部３４と、を備える。
【００３３】
接続情報格納部３１は、例えば、ハードディスク等の補助記憶装置で構成される。接続情報格納部３１は、配線盤１０の端子部１１への配線の接続状況を接続情報として格納する。
【００３４】
変更情報格納部３２は、例えば、ハードディスク等の補助記憶装置等で構成される。変更情報格納部３２は、変更情報を格納する。変更情報格納部３２は、例えば、図７示すように、作業日付や、拠点Ａ〜Ｅごとに配線１０１〜１０４を接続又は切断する端子部１１のチャネル等を示す変更情報を格納する。
【００３５】
接続情報管理部３３は、ＣＰＵ（Central Processing Unit）の動作により実現される。接続情報管理部３３は、接続情報格納部３１から接続情報を取得すると共に、配線盤１０及び支援端末２０に接続情報を提供可能に構成される。また、接続情報管理部３３は、接続情報出力部によって出力された接続情報を用いて、接続情報格納部３１に格納されている接続情報を更新する。
【００３６】
変更情報管理部３４は、ＣＰＵ（Central Processing Unit）の動作により実現される。変更情報管理部３４は、変更情報格納部３２から変更情報を取得すると共に、支援端末２０に対して取得した変更情報を出力する。例えば、変更情報管理部３４は、複数の変更情報を取得すると共に、支援端末２０に対して取得した複数の変更情報を出力する。
【００３７】
次に、本実施形態に係る支援システム１の動作について、図９のフローチャートを参照して説明する。
【００３８】
まず、作業対象となる拠点Ａ〜Ｅにおける配線盤１０の配線盤側表示部１２のスイッチ（図示せず）がオンにされることで、配線盤側表示制御部１３は、管理サーバ３０から接続情報を取得する（ステップＳ１）。例えば、配線盤側表示制御部１３は、管理サーバ３０に対して、接続情報の送信を要求する。接続情報管理部３３は、配線盤側表示制御部１３による要求に応じて、作業対象となる拠点Ａ〜Ｅにおける配線盤１０の端子部１１への配線１０１〜１０４の接続状況を示す接続情報を接続情報格納部３１から取得する。また、接続情報管理部３３は、要求した配線盤側表示制御部１３に対して、取得した接続情報を出力する。これにより、配線盤側表示制御部１３は、接続情報を取得する。
【００３９】
次いで、配線盤側表示制御部１３は、取得した接続情報に基づいて、配線盤側表示部１２の表示を制御する（ステップＳ２）。例えば、図４に示すように、接続情報に含まれる端子部１１への配線１０１〜１０４の接続状況が使用中（接続中）である場合、配線盤側表示制御部１３は、配線盤側表示部１２に赤色を表示させる。また、接続情報に含まれる端子部１１への配線１０１〜１０４の接続状況が未使用（切断中）である場合、配線盤側表示制御部１３は、配線盤側表示部１２に緑色を表示させる。
【００４０】
次いで、端末側表示制御部２２は、複数の変更情報を管理サーバ３０から取得する。端末側表示制御部２２は、端末側表示部２１に取得した複数の変更情報を表示させる（ステップＳ３）。変更情報指定部２３は、端末側表示部２１に表示された複数の変更情報から少なくとも１つを指定する。
【００４１】
次いで、表示指示部２４は、変更情報指定部２３によって指定された変更情報に基づいて、変更対象となる配線の接続位置に対応する端子部１１を示す配線盤側表示部１２を識別可能なように、配線盤側表示制御部１３に配線盤側表示部１２への表示を指示する（ステップＳ４）。例えば、表示指示部２４は、指定された変更情報に基づいて、配線盤側表示制御部１３に配線盤側表示部１２の表示を点滅させる。具体的には、表示指示部２４は、指定された変更情報に基づいて、配線盤側表示制御部１３に、配線１０１〜１０４を接続予定の端子部１１に対応する配線盤側表示部１２に赤色を点滅させる。一方、表示指示部２４は、指定された変更情報に基づいて、配線盤側表示制御部１３に、配線１０１〜１０４を切断予定の端子部１１に対応する配線盤側表示部１２に緑色を点滅させる。
【００４２】
次いで、配線盤側表示部１２による表示に基づいて、変更作業が実施される（ステップＳ５）。変更作業が実施された後、変更完了情報取得部２５は、指定された変更情報に基づく配線１０１〜１０４の接続の変更完了を示す変更完了情報を取得する（ステップＳ６）。
【００４３】
次いで、更新部２６は、変更完了情報の取得に基づいて、指定された変更情報を用いて接続情報を更新する（ステップＳ７）。例えば、更新部２６は、接続情報を指定された変更情報で更新する。更新部２６は更新された接続情報を接続情報管理部３３に送る。接続情報管理部３３は、接続情報格納部３１に格納されている接続情報を更新された接続情報に置き換える。
【００４４】
次いで、配線盤側表示制御部１３は、管理サーバ３０から更新された接続情報を取得する（ステップＳ８）。例えば、配線盤側表示制御部１３は、接続情報管理部３３から送信される、更新された接続情報を取得する。配線盤側表示制御部１３は、取得した接続情報に基づいて、配線盤側表示部１２の表示を制御する。これにより、例えば、配線盤側表示制御部１３は、取得した接続情報に基づいて、配線盤側表示部１２の表示を更新する。具体的には、配線盤側表示制御部１３は、取得した接続情報に基づいて、赤色の点滅していた配線盤側表示部１２を緑色の点滅に変更する。すなわち、配線盤側表示制御部１３は、配線１０１〜１０４を撤去する対象の端子部１１に対応する配線盤側表示部１２に、未使用であることを表示させる。また、配線盤側表示制御部１３は、取得した接続情報に基づいて、緑色の点滅していた配線盤側表示部１２を赤色の点滅に変更する。すなわち、配線盤側表示制御部１３は、配線１０１〜１０４を撤去する対象の端子部１１に対応する配線盤側表示部１２に、使用中であることを表示させる。
【００４５】
次いで、変更作業の漏れについて確認するか否かが判断される（ステップＳ９）。変更作業の漏れについて確認する場合（ステップＳ９＿ＹＥＳ）、ステップＳ１０に進む。一方、変更作業の漏れについて確認しない場合（ステップＳ９＿ＮＯ）、支援システム１における処理は終了する。
【００４６】
ステップＳ１０において、端末側表示制御部２２は、管理サーバ３０から更新された接続情報を取得する。端末側表示制御部２２は、更新された接続情報のうち、既に取得している変更情報と同じ接続に更新されている箇所を更新済みとして表示する。例えば、端末側表示制御部２２は、接続が既に変更されている配線を白抜き表示する。また、例えば、端末側表示制御部２２は、接続が未だ変更されていない配線を黒色で表示する。これにより、支援システム１における処理は終了する。
【００４７】
以上説明した第１実施形態の支援システム１によれば、以下のような効果を奏する。
（１）支援システム１において、配線盤１０を、端子部１１に対応して配置される配線盤側表示部１２と、配線盤側表示部１２の表示を制御する配線盤側表示制御部１３と、を含み構成した。また、支援端末２０を、変更情報に基づいて、変更対象となる配線の接続位置に対応する端子部１１を示す配線盤側表示部１２を識別可能なように、配線盤側表示制御部１３に配線盤側表示部１２への表示を指示する表示指示部２４を含むように構成した。これにより、変更対象となる配線の接続位置に対応する端子部１１を示すことができるので、配線盤１０に接続される配線を接続又は切断する際に、誤接続及び誤切断を抑制することができる。
【００４８】
（２）配線盤側表示制御部１３を、端子部１１への配線の接続状況を示す接続情報に応じて、配線盤側表示部１２の表示を制御するように構成した。これにより、端子部１１に対応する配線の接続状況をイメージ的に容易に理解することができる。したがって、端子部１１に接続されている配線の接続関係と、接続情報に含まれる接続状況との正誤を容易に確認することができる。
【００４９】
（３）支援システム１を、接続情報及び変更情報を管理する管理サーバ３０をさらに含んで構成した。これにより、接続情報や変更情報を一元的に管理することができる。
【００５０】
（４）支援端末２０を、複数の変更情報から少なくとも１つを指定する変更情報指定部２３をさらに含んで構成した。また、表示指示部２４が、変更情報指定部２３によって指定された変更情報に基づいて、表示制御部に配線盤側表示部１２への表示を指示するように構成した。これにより、複数の変更情報のそれぞれを個別に表示させることができるので、変更情報を一度に配線盤側表示部１２に表示する場合に比べ、配線の誤接続及び誤切断をより抑制することができる。
【００５１】
（５）支援端末２０を、指定された変更情報に基づく配線の接続の変更完了を示す変更完了情報を取得する変更完了情報取得部２５と、変更完了情報の取得に基づいて、指定された変更情報を用いて接続情報を更新する更新部２６と、をさらに含んで構成した。これにより、接続情報を最新の情報に更新することができる。したがって、接続情報が古い情報のまま残ることを抑制できる。
【００５２】
（６）支援端末２０を、更新された接続情報を表示可能な端末側表示部２１と、更新された接続情報と変更情報とに基づいて、配線盤側表示部１２に、更新情報の接続状況と同じ内容を示す接続情報の位置と異なる接続情報とを明示的に表示させる端末側表示制御部２２と、を含み構成した。これにより、更新された接続情報と更新されていない接続情報とを明示的に知ることができるので、更新されていない接続情報を容易に知ることができる。したがって、誤接続又は誤切断をより効果的に抑制できる。
【００５３】
［第２実施形態］
次に、本発明の第２実施形態に係る支援システム１について説明する。第２実施形態の説明にあたって、同一構成要件については同一符号を付し、その説明を省略もしくは簡略化する。
第２実施形態に係る支援システム１は、支援端末２０に代えて、配線盤１０が変更完了情報取得部２５及び更新部２６を備える点で第１実施形態と異なる。また、第２実施形態に係る支援システム１は、配線盤側表示部１２がスイッチ（入力手段）になっており、押下されることで、変更完了情報取得部に変更情報を送信可能な点で第１実施形態と異なる。
【００５４】
以上説明した第２実施形態の支援システム１によれば、以下のような効果を奏する。
（７）配線盤１０を、指定された変更情報に基づく配線の接続の変更完了を示す変更完了情報を取得する変更完了情報取得部２５と、変更完了情報の取得に基づいて、指定された変更情報を用いて接続情報を更新する更新部２６と、をさらに含んで構成した。これにより、接続情報を最新の情報に更新することができる。したがって、接続情報が古い情報のまま残ることを抑制できる。
【００５５】
以上、本発明の支援システムの好ましい各実施形態につき説明したが、本発明は、上述の実施形態に制限されるものではなく、適宜変更が可能である。
【００５６】
例えば、上記実施形態において、配線盤１０について、中間配線盤を一例として説明したがこれに制限されない。例えば、図１０に示すように、配線盤１０を、光配線盤１０ｂとしてもよい。配線盤１０が光配線盤１０ｂである場合、配線盤側表示部１２は、例えば、レセプタクルの位置に配置される。そして、例えば、レセプタクルの一方が他の拠点の通信装置に接続され、他方が同じ拠点に配置されている通信装置に接続される。
【００５７】
また、上記実施形態において、支援システム１が管理サーバ３０を備えるとしたが、これに制限されない。すなわち、支援システム１は、管理サーバ３０を備えずともよい。支援端末２０や配線盤１０において、接続情報及び変更情報は、別のシステム等から取得されてもよい。
【００５８】
また、上記実施形態において、通信システム１００の拠点を５つで説明したがこの数に制限されない。
【符号の説明】
【００５９】
１  支援システム
１０  配線盤
１０ａ  中間配線盤
１０ｂ  光配線盤
１１  端子部
１２  配線盤側表示部
１３  配線盤側表示制御部
２０  支援端末
２１  端末側表示部
２２  端末側表示制御部
２３  変更情報指定部
２４  表示指示部
２５  変更完了情報取得部
２６  更新部
３０  管理サーバ
１０１〜１０４  配線
Ａ〜Ｄ  拠点
【図１】
2020065194.tif 000003
【図２】
2020065194.tif 000004
【図３】
2020065194.tif 000005
【図４】
2020065194.tif 000006
【図５】
2020065194.tif 000007
【図６】
2020065194.tif 000008
【図７】
2020065194.tif 000009
【図８】
2020065194.tif 000010
【図９】
2020065194.tif 000011
【図１０】
2020065194.tif 000012